(57)【要約】【課題】  プレビュー画像の生成の処理が無駄に実行されることを抑えることができるファクシミリ装置およびファクシミリプログラムを提供する。【解決手段】  ＭＦＰは、スキャナーによってＳ１２１において原稿から読み取られてファックス通信部にＳ１３５においてファックス送信されるページのプレビュー画像を生成し（Ｓ１２６、Ｓ１２７またはＳ１３１）、スキャナーによって原稿から読み取られてファックス通信部にファックス送信される画像のプレビューをプレビュー画像によって実行し（Ｓ１３１）、ファックス送信の送信者および宛先の少なくとも１つのプレビューの利用頻度が利用頻度閾値を超えるとき（Ｓ１２３でＹＥＳまたはＳ１２５でＹＥＳ）、このファックス送信のためにスキャナーによって原稿から読み取られた全てのページのプレビュー画像を自動で生成する（Ｓ１２６）ことを特徴とする。【選択図】  図５
2019103025.tif 000002
【特許請求の範囲】
【請求項１】
原稿から画像を読み取る読取デバイスと、
ファックス通信を行うファックスデバイスと、
前記読取デバイスによって原稿から読み取られて前記ファックスデバイスにファックス送信されるページのプレビュー画像を生成するプレビュー画像生成手段と、
前記読取デバイスによって原稿から読み取られて前記ファックスデバイスにファックス送信される画像のプレビューを、前記プレビュー画像生成手段によって生成されたプレビュー画像によって実行するプレビュー手段と
を備え、
前記プレビュー画像生成手段は、ファックス送信のために前記読取デバイスによって原稿から画像が読み取られた場合に、このファックス送信の送信者および宛先の少なくとも１つの前記プレビューの利用頻度が特定の程度を超えるとき、このファックス送信のために前記読取デバイスによって原稿から読み取られた複数のページのプレビュー画像を自動で生成することを特徴とするファクシミリ装置。
【請求項２】
前記プレビュー手段は、ファックス送信のために前記読取デバイスによって原稿から画像が読み取られた場合に、このファックス送信の送信者および宛先の少なくとも１つの前記プレビューの利用頻度が前記特定の程度を超えるとき、このファックス送信のための前記プレビューを自動で実行することを特徴とする請求項１に記載のファクシミリ装置。
【請求項３】
原稿から画像を読み取る読取デバイスと、
ファックス通信を行うファックスデバイスと
を備えるファクシミリ装置によって実行されるファクシミリプログラムであって、
前記読取デバイスによって原稿から読み取られて前記ファックスデバイスにファックス送信されるページのプレビュー画像を生成するプレビュー画像生成手段と、
前記読取デバイスによって原稿から読み取られて前記ファックスデバイスにファックス送信される画像のプレビューを、前記プレビュー画像生成手段によって生成されたプレビュー画像によって実行するプレビュー手段と
を前記ファクシミリ装置に実現させ、
前記プレビュー画像生成手段は、ファックス送信のために前記読取デバイスによって原稿から画像が読み取られた場合に、このファックス送信の送信者および宛先の少なくとも１つの前記プレビューの利用頻度が特定の程度を超えるとき、このファックス送信のために前記読取デバイスによって原稿から読み取られた複数のページのプレビュー画像を自動で生成することを特徴とするファクシミリプログラム。
【発明の詳細な説明】
【技術分野】
【０００１】
本発明は、原稿から読み取った画像をファックス送信するファクシミリ装置およびファクシミリプログラムに関する。
【背景技術】
【０００２】
従来のファクシミリ装置として、ファックス送信する画像のプレビューを実行するものが知られている（例えば、特許文献１参照。）。
【先行技術文献】
【特許文献】
【０００３】
【特許文献１】特開２０１５−００５８５５号公報
【発明の概要】
【発明が解決しようとする課題】
【０００４】
しかしながら、特許文献１に記載されたファクシミリ装置においては、ファックス送信する全てのページのプレビュー画像を必ず生成するので、ファックス送信する画像のプレビューを実行しない場合には、プレビュー画像の生成の処理が無駄になるという問題がある。
【０００５】
そこで、本発明は、プレビュー画像の生成の処理が無駄に実行されることを抑えることができるファクシミリ装置およびファクシミリプログラムを提供することを目的とする。
【課題を解決するための手段】
【０００６】
本発明のファクシミリ装置は、原稿から画像を読み取る読取デバイスと、ファックス通信を行うファックスデバイスと、前記読取デバイスによって原稿から読み取られて前記ファックスデバイスにファックス送信されるページのプレビュー画像を生成するプレビュー画像生成手段と、前記読取デバイスによって原稿から読み取られて前記ファックスデバイスにファックス送信される画像のプレビューを、前記プレビュー画像生成手段によって生成されたプレビュー画像によって実行するプレビュー手段とを備え、前記プレビュー画像生成手段は、ファックス送信のために前記読取デバイスによって原稿から画像が読み取られた場合に、このファックス送信の送信者および宛先の少なくとも１つの前記プレビューの利用頻度が特定の程度を超えるとき、このファックス送信のために前記読取デバイスによって原稿から読み取られた複数のページのプレビュー画像を自動で生成することを特徴とする。
【０００７】
この構成により、本発明のファクシミリ装置は、ファックス送信のために原稿から画像を読み取った場合に、このファックス送信の送信者および宛先の少なくとも１つのプレビューの利用頻度が特定の程度を超えるとき、このファックス送信のために原稿から読み取った複数のページのプレビュー画像を自動で生成するので、プレビュー画像の生成の処理が無駄に実行されることを抑えることができる。
【０００８】
本発明のファクシミリ装置において、前記プレビュー手段は、ファックス送信のために前記読取デバイスによって原稿から画像が読み取られた場合に、このファックス送信の送信者および宛先の少なくとも１つの前記プレビューの利用頻度が前記特定の程度を超えるとき、このファックス送信のための前記プレビューを自動で実行しても良い。
【０００９】
この構成により、本発明のファクシミリ装置は、ファックス送信のために原稿から画像を読み取った場合に、このファックス送信の送信者および宛先の少なくとも１つのプレビューの利用頻度が特定の程度を超えるとき、このファックス送信のためのプレビューを自動で実行するので、利便性を向上することができる。
【００１０】
本発明のファクシミリプログラムは、原稿から画像を読み取る読取デバイスと、ファックス通信を行うファックスデバイスとを備えるファクシミリ装置によって実行されるファクシミリプログラムであって、前記読取デバイスによって原稿から読み取られて前記ファックスデバイスにファックス送信されるページのプレビュー画像を生成するプレビュー画像生成手段と、前記読取デバイスによって原稿から読み取られて前記ファックスデバイスにファックス送信される画像のプレビューを、前記プレビュー画像生成手段によって生成されたプレビュー画像によって実行するプレビュー手段とを前記ファクシミリ装置に実現させ、前記プレビュー画像生成手段は、ファックス送信のために前記読取デバイスによって原稿から画像が読み取られた場合に、このファックス送信の送信者および宛先の少なくとも１つの前記プレビューの利用頻度が特定の程度を超えるとき、このファックス送信のために前記読取デバイスによって原稿から読み取られた複数のページのプレビュー画像を自動で生成することを特徴とする。
【００１１】
この構成により、本発明のファクシミリプログラムを実行するファクシミリ装置は、ファックス送信のために原稿から画像を読み取った場合に、このファックス送信の送信者および宛先の少なくとも１つのプレビューの利用頻度が特定の程度を超えるとき、このファックス送信のために原稿から読み取った複数のページのプレビュー画像を自動で生成するので、プレビュー画像の生成の処理が無駄に実行されることを抑えることができる。
【発明の効果】
【００１２】
本発明のファクシミリ装置およびファクシミリプログラムは、プレビュー画像の生成の処理が無駄に実行されることを抑えることができる。
【図面の簡単な説明】
【００１３】
【図１】本発明の一実施の形態に係るＭＦＰのブロック図である。
【図２】図１に示す送信者用プレビュー頻度情報の一例を示す図である。
【図３】図１に示す宛先用プレビュー頻度情報の一例を示す図である。
【図４】利用頻度閾値を更新する場合の、図１に示すＭＦＰ１０の動作のフローチャートである。
【図５】ファックス送信のためにスキャナーによって原稿から画像が読み取られる場合の、図１に示すＭＦＰの動作のフローチャートである。
【図６】図５に示すファックス送信プレビュー処理のフローチャートである。
【図７】ファックス送信のためにスキャナーによって原稿から画像が読み取られる場合の、図１に示すＭＦＰの動作であって、図５に示す動作とは異なる動作のフローチャートである。
【図８】ファックス送信のためにスキャナーによって原稿から画像が読み取られる場合の、図１に示すＭＦＰの動作であって、図５および図７に示す動作とは異なる動作のフローチャートである。
【発明を実施するための形態】
【００１４】
以下、本発明の実施の形態について、図面を用いて説明する。
【００１５】
まず、本発明の一実施の形態に係るファクシミリ装置としてのＭＦＰ（Ｍｕｌｔｉｆｕｎｃｔｉｏｎ  Ｐｅｒｉｐｈｅｒａｌ）の構成について説明する。
【００１６】
図１は、本実施の形態に係るＭＦＰ１０のブロック図である。
【００１７】
図１に示すように、ＭＦＰ１０は、種々の操作が入力される例えばボタンなどの入力デバイスである操作部１１と、種々の情報を表示する例えばＬＣＤ（Ｌｉｑｕｉｄ  Ｃｒｙｓｔａｌ  Ｄｉｓｐｌａｙ）などの表示デバイスである表示部１２と、用紙などの記録媒体に画像を印刷する印刷デバイスであるプリンター１３と、原稿から画像を読み取る読取デバイスであるスキャナー１４と、図示していない外部のファクシミリ装置と公衆電話回線などの通信回線経由でファックス通信を行うファックスデバイスであるファックス通信部１５と、ＬＡＮ（Ｌｏｃａｌ  Ａｒｅａ  Ｎｅｔｗｏｒｋ）、インターネットなどのネットワーク経由で、または、ネットワークを介さずに有線または無線によって直接に、外部の装置と通信を行う通信デバイスである通信部１６と、各種の情報を記憶する例えば半導体メモリー、ＨＤＤ（Ｈａｒｄ  Ｄｉｓｋ  Ｄｒｉｖｅ）などの不揮発性の記憶デバイスである記憶部１７と、ＭＦＰ１０全体を制御する制御部１８とを備えている。
【００１８】
記憶部１７は、ファクシミリプログラム１７ａを記憶している。ファクシミリプログラム１７ａは、例えば、ＭＦＰ１０の製造段階でＭＦＰ１０にインストールされていても良いし、ＵＳＢ（Ｕｎｉｖｅｒｓａｌ  Ｓｅｒｉａｌ  Ｂｕｓ）メモリーなどの外部の記憶媒体からＭＦＰ１０に追加でインストールされても良いし、ネットワーク上からＭＦＰ１０に追加でインストールされても良い。
【００１９】
制御部１８は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、記憶部１７またはＲＯＭに記憶されているプログラムを実行する。
【００２０】
制御部１８は、ファクシミリプログラム１７ａを実行することによって、スキャナー１４によって原稿から読み取られた画像をファックス通信部１５によってファックス送信するファックス送信手段１８ａと、スキャナー１４によって原稿から読み取られてファックス通信部１５にファックス送信されるページのプレビュー画像（以下「ファックス送信プレビュー画像」という。）を生成するプレビュー画像生成手段１８ｂと、スキャナー１４によって原稿から読み取られてファックス通信部１５にファックス送信される画像のプレビュー（以下「ファックス送信プレビュー」という。）を、プレビュー画像生成手段１８ｂによって生成されたファックス送信プレビュー画像によって実行するプレビュー手段１８ｃとを実現する。
【００２１】
なお、ファックス送信プレビューは、例えば、ファックス送信される画像に間違った情報が含まれていないことの確認や、ファックス送信される画像がファックス送信の宛先に対して正しい画像であることの確認に利用されることが多い。
【００２２】
記憶部１７は、ファックス送信のためにスキャナー１４によって原稿から読み取られた複数のページのファックス送信プレビュー画像を自動で生成するための、ファックス送信プレビューの利用頻度の閾値を示す利用頻度閾値１７ｂを記憶している。利用頻度閾値１７ｂは、百分率で示され、０％から１００％までのいずれかの値である。
【００２３】
記憶部１７は、ファックス送信の送信者毎のファックス送信プレビューの利用頻度を示す送信者用プレビュー頻度情報１７ｃを記憶可能である。
【００２４】
図２は、送信者用プレビュー頻度情報１７ｃの一例を示す図である。
【００２５】
図２に示すように、送信者用プレビュー頻度情報１７ｃは、ファックス送信プレビューの利用機会の回数と、ファックス送信プレビューの実際の利用回数と、ファックス送信プレビューの利用頻度とをファックス送信の送信者毎に示している。送信者用プレビュー頻度情報１７ｃに示される利用頻度は、ファックス送信プレビューの利用機会の回数に対する、ファックス送信プレビューの実際の利用回数が百分率で示されたものである。
【００２６】
図１に示すように、記憶部１７は、ファックス送信の宛先毎のファックス送信プレビューの利用頻度を示す宛先用プレビュー頻度情報１７ｄを記憶可能である。
【００２７】
図３は、宛先用プレビュー頻度情報１７ｄの一例を示す図である。
【００２８】
図３に示すように、宛先用プレビュー頻度情報１７ｄは、ファックス送信プレビューの利用機会の回数と、ファックス送信プレビューの実際の利用回数と、ファックス送信プレビューの利用頻度とをファックス送信の宛先毎に示している。宛先用プレビュー頻度情報１７ｄに示される利用頻度は、ファックス送信プレビューの利用機会の回数に対する、ファックス送信プレビューの実際の利用回数が百分率で示されたものである。
【００２９】
次に、ＭＦＰ１０の動作について説明する。
【００３０】
まず、利用頻度閾値１７ｂを更新する場合のＭＦＰ１０の動作について説明する。
【００３１】
図４は、利用頻度閾値１７ｂを更新する場合のＭＦＰ１０の動作のフローチャートである。
【００３２】
プレビュー手段１８ｃは、利用頻度閾値１７ｂの更新の動作の開始が操作部１１を介して指示されると、図４に示す動作を開始する。
【００３３】
図４に示すように、プレビュー手段１８ｃは、利用頻度閾値１７ｂを表示部１２に表示する（Ｓ１０１）。
【００３４】
次いで、プレビュー手段１８ｃは、表示部１２に表示された利用頻度閾値に対する変更が操作部１１を介して指示されたか否かを判断する（Ｓ１０２）。
【００３５】
プレビュー手段１８ｃは、表示部１２に表示された利用頻度閾値に対する変更が操作部１１を介して指示されたとＳ１０２において判断すると、指示された変更の内容を、表示部１２に表示された利用頻度閾値に反映する（Ｓ１０３）。
【００３６】
プレビュー手段１８ｃは、表示部１２に表示された利用頻度閾値に対する変更が操作部１１を介して指示されていないとＳ１０２において判断するか、Ｓ１０３の処理が終了すると、利用頻度閾値１７ｂの更新の動作の終了が操作部１１を介して指示されたか否かを判断する（Ｓ１０４）。
【００３７】
プレビュー手段１８ｃは、利用頻度閾値１７ｂの更新の動作の終了が操作部１１を介して指示されていないとＳ１０４において判断すると、Ｓ１０２の処理を実行する。
【００３８】
プレビュー手段１８ｃは、利用頻度閾値１７ｂの更新の動作の終了が操作部１１を介して指示されたとＳ１０４において判断すると、表示部１２に表示された利用頻度閾値で記憶部１７上の利用頻度閾値１７ｂを更新して（Ｓ１０５）、図４に示す動作を終了する。
【００３９】
次に、ファックス送信のためにスキャナー１４によって原稿から画像が読み取られる場合のＭＦＰ１０の動作について説明する。
【００４０】
図５は、ファックス送信のためにスキャナー１４によって原稿から画像が読み取られる場合のＭＦＰ１０の動作のフローチャートである。
【００４１】
制御部１８は、ファックス送信のためにスキャナー１４によって原稿から画像が読み取られる指示が操作部１１を介して入力されると、図５に示す動作を実行する。
【００４２】
図５に示すように、ファックス送信手段１８ａは、スキャナー１４によって原稿から画像を読み取る（Ｓ１２１）。
【００４３】
次いで、プレビュー画像生成手段１８ｂは、今回のファックス送信の送信者の、ファックス送信プレビューに対する利用頻度を送信者用プレビュー頻度情報１７ｃから取得し（Ｓ１２２）、Ｓ１２２において取得した利用頻度が利用頻度閾値１７ｂを超えるか否かを判断する（Ｓ１２３）。
【００４４】
プレビュー画像生成手段１８ｂは、Ｓ１２２において取得した利用頻度が利用頻度閾値１７ｂを超えないとＳ１２３において判断すると、今回のファックス送信の宛先の、ファックス送信プレビューに対する利用頻度を宛先用プレビュー頻度情報１７ｄから取得し（Ｓ１２４）、Ｓ１２４において取得した利用頻度が利用頻度閾値１７ｂを超えるか否かを判断する（Ｓ１２５）。
【００４５】
プレビュー画像生成手段１８ｂは、Ｓ１２２において取得した利用頻度が利用頻度閾値１７ｂを超えるとＳ１２３において判断するか、Ｓ１２４において取得した利用頻度が利用頻度閾値１７ｂを超えるとＳ１２５において判断すると、Ｓ１２１において原稿から読み取られた画像に基づいて全てのページのファックス送信プレビュー画像を生成する（Ｓ１２６）。
【００４６】
プレビュー画像生成手段１８ｂは、Ｓ１２４において取得した利用頻度が利用頻度閾値１７ｂを超えないとＳ１２５において判断すると、Ｓ１２１において原稿から読み取られた画像に基づいて最初の１ページのファックス送信プレビュー画像のみを生成する（Ｓ１２７）。
【００４７】
プレビュー手段１８ｃは、Ｓ１２７の処理が終了すると、ファックス送信プレビューが操作部１１を介して指示されたか否かを判断する（Ｓ１２８）。
【００４８】
プレビュー手段１８ｃは、ファックス送信プレビューが指示されたとＳ１２８において判断すると、今回の図５に示す動作においてファックス送信プレビューが既に実行されたか否かを判断する（Ｓ１２９）。
【００４９】
プレビュー手段１８ｃは、Ｓ１２６の処理が終了するか、今回の図５に示す動作においてファックス送信プレビューが未だ実行されていないとＳ１２９において判断すると、ファックス送信プレビューが利用されたことを送信者用プレビュー頻度情報１７ｃおよび宛先用プレビュー頻度情報１７ｄに事前に反映する（Ｓ１３０）。すなわち、プレビュー手段１８ｃは、送信者用プレビュー頻度情報１７ｃにおいて、今回のファックス送信の送信者に関して、ファックス送信プレビューの利用機会の回数と、ファックス送信プレビューの実際の利用回数とを１増やした後、ファックス送信プレビューの利用機会の回数に対する、ファックス送信プレビューの実際の利用回数を百分率で算出することによって、ファックス送信プレビューの利用頻度を更新する。同様に、プレビュー手段１８ｃは、宛先用プレビュー頻度情報１７ｄにおいて、今回のファックス送信の宛先に関して、ファックス送信プレビューの利用機会の回数と、ファックス送信プレビューの実際の利用回数とを１増やした後、ファックス送信プレビューの利用機会の回数に対する、ファックス送信プレビューの実際の利用回数を百分率で算出することによって、ファックス送信プレビューの利用頻度を更新する。
【００５０】
プレビュー手段１８ｃは、今回の図５に示す動作においてファックス送信プレビューが既に実行されたとＳ１２９において判断するか、Ｓ１３０の処理が終了すると、ファックス送信プレビュー処理（図６参照。）を実行する（Ｓ１３１）。
【００５１】
図６は、図５に示すファックス送信プレビュー処理のフローチャートである。
【００５２】
図６に示すように、プレビュー手段１８ｃは、Ｓ１２６またはＳ１２７において生成された、最初の１ページのファックス送信プレビュー画像を表示部１２に表示することによって、ファックス送信プレビューを実行する（Ｓ１４１）。
【００５３】
次いで、プレビュー手段１８ｃは、ファックス送信プレビューの対象のページの遷移が操作部１１を介して指示されたか否かを判断する（Ｓ１４２）。
【００５４】
プレビュー手段１８ｃは、ファックス送信プレビューの対象のページの遷移が指示されたとＳ１４２において判断すると、遷移先のページのファックス送信プレビュー画像が生成されているか否かを判断する（Ｓ１４３）。なお、遷移先のページのファックス送信プレビュー画像は、生成されている場合、Ｓ１２６、Ｓ１２７またはＳ１４４の処理において生成されている。
【００５５】
プレビュー画像生成手段１８ｂは、遷移先のページのファックス送信プレビュー画像が生成されていないとＳ１４３において判断されると、遷移先のページのファックス送信プレビュー画像を、Ｓ１２１において原稿から読み取られた画像に基づいて生成する（Ｓ１４４）。
【００５６】
プレビュー手段１８ｃは、遷移先のページのファックス送信プレビュー画像が生成されているとＳ１４３において判断するか、Ｓ１４４の処理が終了すると、遷移先のページのファックス送信プレビュー画像を表示部１２に表示することによって、ファックス送信プレビューを実行する（Ｓ１４５）。
【００５７】
プレビュー手段１８ｃは、ファックス送信プレビューの対象のページの遷移が指示されていないとＳ１４２において判断するか、Ｓ１４５の処理が終了すると、ファックス送信プレビューの終了が操作部１１を介して指示されたか否かを判断する（Ｓ１４６）。
【００５８】
プレビュー手段１８ｃは、ファックス送信プレビューの終了が指示されていないとＳ１４６において判断すると、Ｓ１４２の処理を実行する。
【００５９】
プレビュー手段１８ｃは、ファックス送信プレビューの終了が指示されたとＳ１４６において判断すると、図６に示すファックス送信プレビュー処理を終了する。
【００６０】
なお、図６に示すファックス送信プレビュー処理においては、ファックス送信プレビューの対象のページの遷移の機能のみが示されている。しかしながら、プレビュー手段１８ｃは、ファックス送信プレビュー処理において、ファックス送信プレビューの対象のページの遷移の機能以外の、ファックス送信プレビューに関する機能を実行可能でも良い。例えば、プレビュー手段１８ｃは、ファックス送信プレビュー処理において、ファックス送信プレビュー画像の表示サイズを操作部１１を介した指示に応じて拡大または縮小する機能を実行可能でも良い。
【００６１】
図５に示すように、ファックス送信手段１８ａは、ファックス送信プレビューが指示されていないとＳ１２８において判断されるか、Ｓ１３１のファックス送信プレビュー処理が終了すると、ファックス送信の実行が操作部１１を介して指示されたか否かを判断する（Ｓ１３２）。
【００６２】
プレビュー手段１８ｃは、ファックス送信の実行が操作部１１を介して指示されていないとＳ１３２において判断されると、Ｓ１２８の処理を実行する。
【００６３】
プレビュー手段１８ｃは、ファックス送信の実行が操作部１１を介して指示されたとＳ１３２において判断されると、今回の図５に示す動作においてファックス送信プレビューが既に実行されたか否かを判断する（Ｓ１３３）。
【００６４】
プレビュー手段１８ｃは、今回の図５に示す動作においてファックス送信プレビューが未だ実行されていないとＳ１３３において判断すると、ファックス送信プレビューが利用されなかったことを送信者用プレビュー頻度情報１７ｃおよび宛先用プレビュー頻度情報１７ｄに反映する（Ｓ１３４）。すなわち、プレビュー手段１８ｃは、送信者用プレビュー頻度情報１７ｃにおいて、今回のファックス送信の送信者に関して、ファックス送信プレビューの利用機会の回数を１増やした後、ファックス送信プレビューの実際の利用回数を変更せずに、ファックス送信プレビューの利用機会の回数に対する、ファックス送信プレビューの実際の利用回数を百分率で算出することによって、ファックス送信プレビューの利用頻度を更新する。同様に、プレビュー手段１８ｃは、宛先用プレビュー頻度情報１７ｄにおいて、今回のファックス送信の宛先に関して、ファックス送信プレビューの利用機会の回数を１増やした後、ファックス送信プレビューの実際の利用回数を変更せずに、ファックス送信プレビューの利用機会の回数に対する、ファックス送信プレビューの実際の利用回数を百分率で算出することによって、ファックス送信プレビューの利用頻度を更新する。
【００６５】
ファックス送信手段１８ａは、今回の図５に示す動作においてファックス送信プレビューが既に実行されたとＳ１３３において判断されるか、Ｓ１３４の処理が終了すると、Ｓ１２１において原稿から読み取られた画像を今回のファックス送信の宛先にファックス通信部１５によってファックス送信して（Ｓ１３５）、図５に示す動作を終了する。
【００６６】
ファックス送信の送信者のファックス送信プレビューの利用頻度が利用頻度閾値１７ｂを超える場合、ファックス送信プレビューの必要性が高いと考えられる。例えば、見積書や請求書をファックス送信することが多い送信者は、ファックス送信される画像に間違いがあっては困るので、ファックス送信される画像をファックス送信プレビューによって確認することが多いと考えられる。
【００６７】
また、ファックス送信の宛先のファックス送信プレビューの利用頻度が利用頻度閾値１７ｂを超える場合、ファックス送信プレビューの必要性が高いと考えられる。例えば、宛先が送信者にとって重要な顧客である場合、送信者は、ファックス送信される画像に間違いがあっては困るので、ファックス送信される画像をファックス送信プレビューによって確認することが多いと考えられる。
【００６８】
ＭＦＰ１０は、ファックス送信のために原稿から画像を読み取った場合（Ｓ１２１）に、このファックス送信の送信者および宛先の少なくとも１つのファックス送信プレビューの利用頻度が利用頻度閾値１７ｂを超えるとき（Ｓ１２３でＹＥＳまたはＳ１２５でＹＥＳ）、このファックス送信のために原稿から読み取った全てのページのファックス送信プレビュー画像を自動で生成する（Ｓ１２６）ので、ファックス送信プレビューの必要性が低い場合には全てのページのファックス送信プレビュー画像を自動で生成することはせず、ファックス送信プレビュー画像の生成の処理が無駄に実行されることを抑えることができる。
【００６９】
ＭＦＰ１０は、ファックス送信のために原稿から画像を読み取った場合に、このファックス送信の送信者および宛先の少なくとも１つのファックス送信プレビューの利用頻度が利用頻度閾値１７ｂを超えるとき、このファックス送信のために原稿から読み取った全てのページのファックス送信プレビュー画像を自動で生成するので、ファックス送信プレビューの必要性が高い場合に全てのページのファックス送信プレビュー画像を自動で生成し、ファックス送信プレビュー処理（図６参照。）においてファックス送信プレビューの対象のページの遷移を高速化することができる。
【００７０】
なお、ＭＦＰ１０は、本実施の形態において、ファックス送信の送信者の利用頻度が利用頻度閾値１７ｂを超える場合と（Ｓ１２３でＹＥＳ）、ファックス送信の宛先の利用頻度が利用頻度閾値１７ｂを超える場合と（Ｓ１２５でＹＥＳ）に、全てのページのファックス送信プレビュー画像を生成する（Ｓ１２６）。しかしながら、ＭＦＰ１０は、ファックス送信の送信者の利用頻度が利用頻度閾値１７ｂを超える場合と、ファックス送信の宛先の利用頻度が利用頻度閾値１７ｂを超える場合とに、複数のページのファックス送信プレビュー画像を生成すれば、全てのページのファックス送信プレビュー画像を生成しなくても良い。
【００７１】
ＭＦＰ１０は、ファックス送信のために原稿から画像を読み取った場合（Ｓ１２１）に、このファックス送信の送信者および宛先の少なくとも１つのファックス送信プレビューの利用頻度が利用頻度閾値１７ｂを超えるとき（Ｓ１２３でＹＥＳまたはＳ１２５でＹＥＳ）、このファックス送信のためのファックス送信プレビューを自動で実行する（Ｓ１３１）ので、利便性を向上することができる。
【００７２】
なお、ＭＦＰ１０は、図７に示すように、ファックス送信の送信者および宛先の少なくとも１つのファックス送信プレビューの利用頻度が利用頻度閾値１７ｂを超える場合（Ｓ１２３でＹＥＳまたはＳ１２５でＹＥＳ）に、ファックス送信プレビューが指示されたとき（Ｓ１２８でＹＥＳ）のみ、このファックス送信のためのファックス送信プレビューを実行する（Ｓ１３１）構成でも良い。
【００７３】
また、ＭＦＰ１０は、図８に示すように、ファックス送信の送信者および宛先の少なくとも１つのファックス送信プレビューの利用頻度が利用頻度閾値１７ｂを超える場合（Ｓ１２３でＹＥＳまたはＳ１２５でＹＥＳ）に、Ｓ１２１において原稿から読み取られた画像に基づいて最初の１ページのファックス送信プレビュー画像のみを生成し（Ｓ１３６）、このファックス送信のためのファックス送信プレビューを自動で実行する（Ｓ１３１）構成でも良い。
【００７４】
ＭＦＰ１０は、本実施の形態において、ファックス送信の送信者の利用頻度が利用頻度閾値１７ｂを超えるか否かを判断する（Ｓ１２３）とともに、ファックス送信の宛先の利用頻度が利用頻度閾値１７ｂを超えるか否かを判断する（Ｓ１２５）。しかしながら、ＭＦＰ１０は、ファックス送信の送信者の利用頻度が利用頻度閾値１７ｂを超えるか否かを判断することと、ファックス送信の宛先の利用頻度が利用頻度閾値１７ｂを超えるか否かを判断することとのいずれか一方を実行しなくても良い。すなわち、ＭＦＰ１０は、Ｓ１２１の処理の後、Ｓ１２２およびＳ１２３の処理を実行せずに、Ｓ１２４の処理を実行しても良い。また、ＭＦＰ１０は、Ｓ１２２において取得した利用頻度が利用頻度閾値１７ｂを超えないとＳ１２３において判断すると、Ｓ１２４およびＳ１２５の処理を実行せずに、Ｓ１２７の処理を実行しても良い。
【００７５】
ＭＦＰ１０は、本実施の形態において、ファックス送信の送信者の利用頻度が利用頻度閾値１７ｂを超えるか否かを判断する（Ｓ１２３）とともに、ファックス送信の宛先の利用頻度が利用頻度閾値１７ｂを超えるか否かを判断する（Ｓ１２５）。しかしながら、ＭＦＰ１０は、Ｓ１２３におけるファックス送信の送信者の利用頻度の大きさの判断の閾値と、Ｓ１２５におけるファックス送信の宛先の利用頻度の大きさの判断の閾値とが異なっても良い。
【００７６】
本発明のファクシミリ装置は、本実施の形態においてＭＦＰによって構成されているが、例えばファックス専用機など、ＭＦＰ以外の電子機器によって構成されても良い。
【符号の説明】
【００７７】
１０  ＭＦＰ（ファクシミリ装置）
１４  スキャナー（読取デバイス）
１５  ファックス通信部（ファックスデバイス）
１７ａ  ファクシミリプログラム
１７ｂ  利用頻度閾値（特定の程度）
１８ｂ  プレビュー画像生成手段
１８ｃ  プレビュー手段
【図１】
2019103025.tif 000003
【図２】
2019103025.tif 000004
【図３】
2019103025.tif 000005
【図４】
2019103025.tif 000006
【図５】
2019103025.tif 000007
【図６】
2019103025.tif 000008
【図７】
2019103025.tif 000009
【図８】
2019103025.tif 000010